(57)【要約】【課題】  サスペンションアーム式高脚高速布巻取り機の提供。【解決手段】  両側のサイドボックス、巻取りロッド及び摩擦機構で構成されている。そのうち、各サイドボックスの上部近くの側端に延伸部が凸設され、巻取りロッドは両側のサイドボックス間の中段部分に枢設されて布を巻き取り、摩擦機構は二つの作動アーム及び一つの摩擦ロッドで構成され、そのうち作動アームが巻取りロッドの上方に掛け渡され、且つ各作動アームは第１枢設端と第２枢設端を具え、作動アームの第１枢設端と第２枢設端が巻取りロッドの軸の両側に位置し、且つそれぞれサイドボックスの延伸部及び摩擦ロッドの末端と枢設される。【選択図】        図３
2007008599.tif 000002
【特許請求の範囲】
【請求項１】
サスペンションアーム式高脚高速布巻取り機において、
各サイドボックス（２１０）の上部近くの側端に延伸部（２１１）が凸設された、両側のサイドボックス（２１０）と、
両側のサイドボックス（２１０）間の中段部分に枢設されて布を巻き取る巻取りロッド（２２０）と、
摩擦機構（２３０）であって、二つの作動アーム（２３１）及び一つの摩擦ロッド（２３２）で構成され、そのうち作動アーム（２３１）が巻取りロッド（２２０）の上方に掛け渡され、且つ摩擦ロッド（２３２）が続けて巻取りロッド（２２０）上の布（２０）と接触し、各作動アーム（２３１）が第１枢設端（２３１ａ）と第２枢設端（２３１ｂ）を具え、作動アーム（２３１）の第１枢設端（２３１ａ）と第２枢設端（２３１ｂ）が巻取りロッド（２２０）の軸心（２２１）の両側に位置し、且つそれぞれサイドボックス（２１０）の延伸部（２１１）及び摩擦ロッド（２３２）の末端と枢設され、これにより布巻取り作業を行う時、布（２０）の直径の増加に伴い作動アーム（２３１）が過大な揺動幅を有することがなく、且つ摩擦ロッド（２３２）が同じ制圧力で布（２０）上を制圧する、上記摩擦機構（２３０）と、
を包含したことを特徴とする、サスペンションアーム式高脚高速布巻取り機。
【請求項２】
請求項１記載のサスペンションアーム式高脚高速布巻取り機において、二つのサイドボックス（２１０）間の底部に変速機構（２４０）が配置され、そのうち一つのサイドボックス（２１０）内に第１伝動装置（２５０）が設けられ、変速機構（２４０）を通して第１伝動装置（２５０）が駆動され、これにより巻取りロッド（２２０）が駆動され回転することを特徴とする、サスペンションアーム式高脚高速布巻取り機。
【請求項３】
請求項２記載のサスペンションアーム式高脚高速布巻取り機において、変速機構（２４０）の内部より軸棒（２４１）が延伸され、軸棒（２４１）の両端がそれぞれ両側のサイドボックス（２１０）内部を貫通し、第１伝動装置（２５０）が二つの伝動輪（２５１、２５２）及びベルト（２５３）で構成され、そのうち一つの伝動輪（２５１）が軸棒（２４１）の一端に枢設され、もう一つの伝動輪（２５２）が巻取りロッド（２２０）の一端に枢設され、且つベルト（２５３）が二つの伝動輪（２５１、２５２）の周囲に繞設されたことを特徴とする、サスペンションアーム式高脚高速布巻取り機。
【請求項４】
請求項２記載のサスペンションアーム式高脚高速布巻取り機において、両側のサイドボックス（２１０）の間の上部に布送り機構（２９０）が配置され、布送り機構（２９０）は主回転ロッド（２９１）と二つの副回転ロッド（２９２、２９３）で構成され、もう一つのサイドボックス（２１０）内に第２伝動装置（２６０）と第３伝動装置（２７０）が配置され、且つこのもう一つのサイドボックス（２１０）の近隣の作動アーム（２３１）内に第４伝動装置（２８０）が配置され、変速機構（２４０）により第２伝動装置（２６０）、第３伝動装置（２７０）、第４伝動装置（２８０）が駆動されることで、摩擦ロッド（２３２）、主回転ロッド（２９１）、及び副回転ロッド（２９２、２９３）が駆動され回転することを特徴とする、サスペンションアーム式高脚高速布巻取り機。
【請求項５】
請求項４記載のサスペンションアーム式高脚高速布巻取り機において、第２伝動装置（２６０）が四つの伝動輪（２６１、２６２、２６３、２６４）及びベルト（２６５）で構成され、そのうち一つの伝動輪（２６１）が軸棒（２４１）の別端に枢設され、そのうち二つの伝動輪（２６２、２６３）が軸棒（２４１）の傍らに同軸関係を以て枢設され、且つそのうち一つの伝動輪（２６２）と軸棒（２４１）上の伝動輪（２６１）が噛み合い、残る一つの伝動輪（２６４）がサイドボックス（２１０）内部の巻取りロッド（２２０）より高い部分に枢設され、ベルト（２６５）が相互に未噛み合いの二つの伝動輪（２６３、２６４）の周りに繞設されたことを特徴とする、サスペンションアーム式高脚高速布巻取り機。
【請求項６】
請求項５記載のサスペンションアーム式高脚高速布巻取り機において、第３伝動装置（２７０）が二つの伝動輪（２７１、２７２）及びベルト（２７３）で構成され、そのうち一つの伝動輪（２７１）が作動アーム（２３１）の第１枢設端（２３１ａ）に枢設され、もう一つの伝動輪（２７２）が主回転ロッド（２９１）の一端に枢設され、ベルト（２７３）がこれら二つの伝動輪（２７１、２７２）と第２伝動装置（２６０）中の巻取りロッド（２２０）より高い位置にある伝動輪（２６４）の周りに繞設されたことを特徴とする、サスペンションアーム式高脚高速布巻取り機。
【請求項７】
請求項６記載のサスペンションアーム式高脚高速布巻取り機において、主回転ロッド（２９１）の別端に伝動輪（２９４）が枢設され、二つの副回転ロッド（２９２、２９３）の一端にそれぞれ一つの伝動輪（２９５、２９６）が枢設され、且つこの副回転ロッド（２９２、２９３）の一端に枢設された伝動輪（２９５、２９６）が主回転ロッド（２９１）の別端の伝動輪（２９４）と相互に噛み合い、二つの副回転ロッド（２９２、２９３）が主回転ロッド（２９１）と連帯して回転することを特徴とする、サスペンションアーム式高脚高速布巻取り機。
【請求項８】
請求項６記載のサスペンションアーム式高脚高速布巻取り機において、第４伝動装置（２８０）が二つの伝動輪（２８１、２８２）及びベルト（２８３）で構成され、そのうち一つの伝動輪（２８１）が作動アーム（２３１）の第１枢設端（２３１ａ）に枢設され、もう一つの伝動輪（２８２）が作動アーム（２３１）の第２枢設端（２３１ｂ）に枢設され、ベルト（２８３）がこれら二つの伝動輪（２８１、２８２）の周りに繞設されたことを特徴とする、サスペンションアーム式高脚高速布巻取り機。
【発明の詳細な説明】
【技術分野】
【０００１】
本発明は一種の布巻取り機に係り、特に、布に同じ制圧力を提供でき、布が巻き取られるほど巻きがきつくなる情況を防止できるサスペンションアーム式高脚高速布巻取り機に関する。
【背景技術】
【０００２】
現在、ニッティングマシンで編成完成した布は、布巻取り機により巻き取られる。一般に小型の布巻取り機は直径２０インチ程度までしか布を巻き取れず、このため布巻取り量が小さいため次第に淘汰され、布巻取り量を増す要求に基づき、現在業界では高脚高速布巻取り機が開発され、その巻取れる布は直径４６インチ程度とされ（即ち巻き取った布の重量は１００ｋｇ以上に達する）、広く使用されている。注意すべきことは、このような高脚高速布巻取り機は布巻取り作業を行う時、巻取りロッドの回転速度が引き上げられる時、遠心力がそれに伴い増加し、更に布は軟性に属するため、布が解ける情況が発生しやすい、ということである。
【０００３】
上述の情況の発生を防止するため、本発明者は一種の布巻取り装置を提供しており（特許文献１）、それによると、両側のサイドボックス間に二組の摩擦機構が配置され、各組の摩擦機構が二つの作動アームと一つの摩擦ロッドで構成されている。そのうち、作動アームの二つの枢設端はそれぞれサイドボックス及び摩擦ロッドの末端に枢設され、摩擦ロッドが布巻取り作業の過程で、続けて巻取りロッド上の布に接触し、これにより巻取りロッドに、回転速度の引き上げに伴い布が弛む情況を発生させない。しかし、このような構造は使用上、部分的に改善すべき欠点を有している。図１及び図２を参照されたい。この周知の技術は、二組の摩擦機構１１０を使用した布巻取り機１００であり、各摩擦機構１１０上の作動アーム１１２の二つの枢設端１１２ａ、１１２ｂはいずれも巻取りロッド１２０の軸心と同一側に位置する。言い換えると、各摩擦機構１１０の作動アーム１１２は懸垂方式で巻取りロッド１２０の上方に設置されている。注意すべきことは、布巻取り作業を開始する時、作動アーム１１２は巻取りロッド１２０の両側において垂直に設置され、この時布１０に掛かる制圧力は僅かに摩擦ロッド１１１辺縁の重量により提供され、布１０の直径が漸増して最大となる時、作動アーム１１２の揺動幅がほぼ９０度となり、且つこの過程中に布１０にかかる制圧力は摩擦ロッド１１１の全ての重量により提供される。ゆえに以上から分かるように、周知の作動アーム１１２は揺動の幅の過大により、布１０にかかる制圧力が不一致となり、布が巻取られるほど布の巻きがきつくなる情況が発生する。これを鑑み、周知の技術はサイドボックスに別にウエイト装置１３０を設置して、全体の布巻取り過程で同じ制圧力を布１０に提供する必要がある。しかし、周知の技術は二組の摩擦機構１１０を使用し並びにウエイト装置１３０の使用が組み合わされているため、布巻取り機１００全体の構造が複雑化し、布巻取り機１００の製造コストが高く成る。
【０００４】
【特許文献１】米国特許第６６３７２４１Ｂ１号明細書
【発明の開示】
【発明が解決しようとする課題】
【０００５】
本発明の目的は、一種のサスペンションアーム式高脚高速布巻取り機を提供することにあり、それは、布巻取り作業を行う時、作動アームが布の直径の増加に伴い過大な揺動幅を有することがなく、且つ摩擦ロッドが同じ制圧力を以て布を制圧し、布の巻きが多くなるほど巻きがきつくなる現象を発生させない。このほか本発明は布巻取り機全体の構造を簡易化し、布巻取り機の製造コストを減らすものとする。
【０００６】
上述の目的を達成するため、本発明は一種のサスペンションアーム式高脚高速布巻取り機を提供し、それは両側のサイドボックス、巻取りロッド及び摩擦機構で構成されている。そのうち、各サイドボックスの上部近くの側端に延伸部が凸設され、巻取りロッドは両側のサイドボックス間の中段部分に枢設されて布を巻き取り、摩擦機構は二つの作動アーム及び一つの摩擦ロッドで構成され、そのうち作動アームが巻取りロッドの上方に掛け渡され、且つ各作動アームは第１枢設端と第２枢設端を具え、作動アームの第１枢設端と第２枢設端が巻取りロッドの軸の両側に位置し、且つそれぞれサイドボックスの延伸部及び摩擦ロッドの末端と枢設される。
【課題を解決するための手段】
【０００７】
請求項１の発明は、サスペンションアーム式高脚高速布巻取り機において、
各サイドボックス（２１０）の上部近くの側端に延伸部（２１１）が凸設された、両側のサイドボックス（２１０）と、
両側のサイドボックス（２１０）間の中段部分に枢設されて布を巻き取る巻取りロッド（２２０）と、
摩擦機構（２３０）であって、二つの作動アーム（２３１）及び一つの摩擦ロッド（２３２）で構成され、そのうち作動アーム（２３１）が巻取りロッド（２２０）の上方に掛け渡され、且つ摩擦ロッド（２３２）が続けて巻取りロッド（２２０）上の布（２０）と接触し、各作動アーム（２３１）が第１枢設端（２３１ａ）と第２枢設端（２３１ｂ）を具え、作動アーム（２３１）の第１枢設端（２３１ａ）と第２枢設端（２３１ｂ）が巻取りロッド（２２０）の軸心（２２１）の両側に位置し、且つそれぞれサイドボックス（２１０）の延伸部（２１１）及び摩擦ロッド（２３２）の末端と枢設され、これにより布巻取り作業を行う時、布（２０）の直径の増加に伴い作動アーム（２３１）が過大な揺動幅を有することがなく、且つ摩擦ロッド（２３２）が同じ制圧力で布（２０）上を制圧する、上記摩擦機構（２３０）と、
を包含したことを特徴とする、サスペンションアーム式高脚高速布巻取り機としている。
請求項２の発明は、請求項１記載のサスペンションアーム式高脚高速布巻取り機において、二つのサイドボックス（２１０）間の底部に変速機構（２４０）が配置され、そのうち一つのサイドボックス（２１０）内に第１伝動装置（２５０）が設けられ、変速機構（２４０）を通して第１伝動装置（２５０）が駆動され、これにより巻取りロッド（２２０）が駆動され回転することを特徴とする、サスペンションアーム式高脚高速布巻取り機としている。
請求項３の発明は、請求項２記載のサスペンションアーム式高脚高速布巻取り機において、変速機構（２４０）の内部より軸棒（２４１）が延伸され、軸棒（２４１）の両端がそれぞれ両側のサイドボックス（２１０）内部を貫通し、第１伝動装置（２５０）が二つの伝動輪（２５１、２５２）及びベルト（２５３）で構成され、そのうち一つの伝動輪（２５１）が軸棒（２４１）の一端に枢設され、もう一つの伝動輪（２５２）が巻取りロッド（２２０）の一端に枢設され、且つベルト（２５３）が二つの伝動輪（２５１、２５２）の周囲に繞設されたことを特徴とする、サスペンションアーム式高脚高速布巻取り機としている。
請求項４の発明は、請求項２記載のサスペンションアーム式高脚高速布巻取り機において、両側のサイドボックス（２１０）の間の上部に布送り機構（２９０）が配置され、布送り機構（２９０）は主回転ロッド（２９１）と二つの副回転ロッド（２９２、２９３）で構成され、もう一つのサイドボックス（２１０）内に第２伝動装置（２６０）と第３伝動装置（２７０）が配置され、且つこのもう一つのサイドボックス（２１０）の近隣の作動アーム（２３１）内に第４伝動装置（２８０）が配置され、変速機構（２４０）により第２伝動装置（２６０）、第３伝動装置（２７０）、第４伝動装置（２８０）が駆動されることで、摩擦ロッド（２３２）、主回転ロッド（２９１）、及び副回転ロッド（２９２、２９３）が駆動され回転することを特徴とする、サスペンションアーム式高脚高速布巻取り機としている。
請求項５の発明は、請求項４記載のサスペンションアーム式高脚高速布巻取り機において、第２伝動装置（２６０）が四つの伝動輪（２６１、２６２、２６３、２６４）及びベルト（２６５）で構成され、そのうち一つの伝動輪（２６１）が軸棒（２４１）の別端に枢設され、そのうち二つの伝動輪（２６２、２６３）が軸棒（２４１）の傍らに同軸関係を以て枢設され、且つそのうち一つの伝動輪（２６２）と軸棒（２４１）上の伝動輪（２６１）が噛み合い、残る一つの伝動輪（２６４）がサイドボックス（２１０）内部の巻取りロッド（２２０）より高い部分に枢設され、ベルト（２６５）が相互に未噛み合いの二つの伝動輪（２６３、２６４）の周りに繞設されたことを特徴とする、サスペンションアーム式高脚高速布巻取り機としている。
請求項６の発明は、請求項５記載のサスペンションアーム式高脚高速布巻取り機において、第３伝動装置（２７０）が二つの伝動輪（２７１、２７２）及びベルト（２７３）で構成され、そのうち一つの伝動輪（２７１）が作動アーム（２３１）の第１枢設端（２３１ａ）に枢設され、もう一つの伝動輪（２７２）が主回転ロッド（２９１）の一端に枢設され、ベルト（２７３）がこれら二つの伝動輪（２７１、２７２）と第２伝動装置（２６０）中の巻取りロッド（２２０）より高い位置にある伝動輪（２６４）の周りに繞設されたことを特徴とする、サスペンションアーム式高脚高速布巻取り機としている。
請求項７の発明は、請求項６記載のサスペンションアーム式高脚高速布巻取り機において、主回転ロッド（２９１）の別端に伝動輪（２９４）が枢設され、二つの副回転ロッド（２９２、２９３）の一端にそれぞれ一つの伝動輪（２９５、２９６）が枢設され、且つこの副回転ロッド（２９２、２９３）の一端に枢設された伝動輪（２９５、２９６）が主回転ロッド（２９１）の別端の伝動輪（２９４）と相互に噛み合い、二つの副回転ロッド（２９２、２９３）が主回転ロッド（２９１）と連帯して回転することを特徴とする、サスペンションアーム式高脚高速布巻取り機としている。
請求項８の発明は、請求項６記載のサスペンションアーム式高脚高速布巻取り機において、第４伝動装置（２８０）が二つの伝動輪（２８１、２８２）及びベルト（２８３）で構成され、そのうち一つの伝動輪（２８１）が作動アーム（２３１）の第１枢設端（２３１ａ）に枢設され、もう一つの伝動輪（２８２）が作動アーム（２３１）の第２枢設端（２３１ｂ）に枢設され、ベルト（２８３）がこれら二つの伝動輪（２８１、２８２）の周りに繞設されたことを特徴とする、サスペンションアーム式高脚高速布巻取り機としている。
【発明の効果】
【０００８】
本発明は、一種のサスペンションアーム式高脚高速布巻取り機を提供し、それは、布巻取り作業を行う時、作動アームが布の直径の増加に伴い過大な揺動幅を有することがなく、且つ摩擦ロッドが同じ制圧力を以て布を制圧し、布の巻きが多くなるほど巻きがきつくなる現象を発生させない。このほか本発明は布巻取り機全体の構造を簡易化し、布巻取り機の製造コストを減らす。
【発明を実施するための最良の形態】
【０００９】
図３から図５を参照されたい。本発明のサスペンションアーム式高脚高速布巻取り機（２００）は、布巻取り量の多い布巻取り機（２００）に適用され、本実施例では、布巻取り機（２００）は両側の箱（２１０）、巻取りロッド（２２０）、摩擦機構（２３０）、変速機構（２４０）、第１伝動装置（２５０）、第２伝動装置（２６０）、第３伝動装置（２７０）、第４伝動装置（２８０）、及び布送り機構（２９０）で構成されている。
【００１０】
続いて、図３を参照されたい。両側のサイドボックス（２１０）の上部近くの側端にそれぞれ延伸部（２１１）が凸設され、巻取りロッド（２２０）が両側のサイドボックス（２１０）の中段部分に枢設されて、布巻取りに用いられる。摩擦機構（２３０）は二つの作動アーム（２３１）及び一つの摩擦ロッド（２３２）で構成され、そのうち作動アーム（２３１）が巻取りロッド（２２０）の上方に掛け渡され、且つ摩擦ロッド（２３２）が続けて巻取りロッド（２２０）上の布（２０）と接触する。各作動アーム（２３１）は第１枢設端（２３１ａ）と第２枢設端（２３１ｂ）を具え、作動アーム（２３１）の第１枢設端（２３１ａ）と第２枢設端（２３１ｂ）が巻取りロッド（２２０）の軸心（２２１）の両側に位置し、且つそれぞれサイドボックス（２１０）の延伸部（２１１）及び摩擦ロッド（２３２）の末端に枢設されている。
【００１１】
図３、４に示されるように、変速機構（２４０）が二つのサイドボックス（２１０）間の底部に配置され、変速機構（２４０）の内部より軸棒（２４１）が延伸され、軸棒（２４１）の両端がそれぞれ両側のサイドボックス（２１０）内部を貫通し、第１伝動装置（２５０）がそのうち一つのサイドボックス（２１０）内に設けられ、第１伝動装置（２５０）は二つの伝動輪（２５１、２５２）及びベルト（２５３）で構成され、そのうち一つの伝動輪（２５１）が軸棒（２４１）の一端に枢設され、もう一つの伝動輪（２５２）が巻取りロッド（２２０）の一端に枢設され、且つベルト（２５３）がこれら二つの伝動輪（２５１、２５２）の周囲に繞設される。変速機構（２４０）が軸棒（２４１）を駆動して回転させることにより、第１伝動装置（２５０）の各部品が駆動され、これにより巻取りロッド（２２０）が駆動され回転する。当然、この技術に詳しい者であれば分かるように、巻取りロッド（２２０）上の布の緊張度は巻取りロッド（２２０）の回転速度により調整され、巻取りロッド（２２０）の回転速度は変速機構（２４０）により制御される。変速機構（２４０）内部部品は周知の技術に属するため、説明は省略する。
【００１２】
続いて図４、５に示されるように、布送り機構（２９０）が両側のサイドボックス（２１０）の間の上部に配置され、布送り機構（２９０）は主回転ロッド（２９１）と二つの副回転ロッド（２９２、２９３）で構成され、もう一つのサイドボックス（２１０）内に第２伝動装置（２６０）と第３伝動装置（２７０）が配置され、且つこのもう一つのサイドボックス（２１０）の近隣の作動アーム（２３１）内に第４伝動装置（２８０）が配置され、変速機構（２４０）により第２伝動装置（２６０）、第３伝動装置（２７０）、第４伝動装置（２８０）が駆動されることで、摩擦ロッド（２３２）、主回転ロッド（２９１）、及び副回転ロッド（２９２、２９３）が駆動され回転する。
【００１３】
更に詳しく説明すると、第２伝動装置（２６０）は、四つの伝動輪（２６１、２６２、２６３、２６４）及びベルト（２６５）で構成され、そのうち一つの伝動輪（２６１）が軸棒（２４１）の別端に枢設され、そのうち二つの伝動輪（２６２、２６３）が軸棒（２４１）の傍らに同軸関係を以て枢設され、且つそのうち一つの伝動輪（２６２）と軸棒（２４１）上の伝動輪（２６１）が噛み合い、残る一つの伝動輪（２６４）がサイドボックス（２１０）内部の巻取りロッド（２２０）より高い部分に枢設され、ベルト（２６５）が相互に未噛み合いの二つの伝動輪（２６３、２６４）の周りに繞設されている。
【００１４】
このほか、第３伝動装置（２７０）は二つの伝動輪（２７１、２７２）及びベルト（２７３）で構成され、そのうち一つの伝動輪（２７１）が作動アーム（２３１）の第１枢設端（２３１ａ）に枢設され、もう一つの伝動輪（２７２）が主回転ロッド（２９１）の一端に枢設され、ベルト（２７３）がこれら二つの伝動輪（２７１、２７２）と第２伝動装置（２６０）中の巻取りロッド（２２０）より高い位置にある伝動輪（２６４）の周りに繞設される。この設計により、第３伝動装置（２７０）は第２伝動装置（２６０）により駆動される。第４伝動装置（２８０）は、二つの伝動輪（２８１、２８２）及びベルト（２８３）で構成され、そのうち一つの伝動輪（２８１）が作動アーム（２３１）の第１枢設端（２３１ａ）に枢設され、もう一つの伝動輪（２８２）が作動アーム（２３１）の第２枢設端（２３１ｂ）に枢設され、ベルト（２８３）がこれら二つの伝動輪（２８１、２８２）の周りに繞設される。この設計により、第４伝動装置（２８０）は第３伝動装置（２７０）により駆動される。
【００１５】
以上から分かるように、変速機構（２４０）を通して軸棒（２４１）が駆動されて回転し、これにより第２伝動装置（２６０）、第３伝動装置（２７０）、及び第４伝動装置（２８０）の各部品が駆動され、これにより摩擦機構（２３０）の摩擦ロッド（２３２）及び布送り機構（２９０）の主回転ロッド（２９１）が回転し、布送りと布巻取り作業の補助が行われる。このほか図４に示されるように、主回転ロッド（２９１）の別端に伝動輪（２９４）が枢設され、二つの副回転ロッド（２９２、２９３）の一端にそれぞれ一つの伝動輪（２９５、２９６）が枢設され、且つこの副回転ロッド（２９２、２９３）の一端に枢設された伝動輪（２９５、２９６）が主回転ロッド（２９１）の別端の伝動輪（２９４）と相互に噛み合い、主回転ロッド（２９１）が回転する時、副回転ロッド（２９２、２９３）が連帯して回転し、布が主回転ロッド（２９１）といずれか一方の副回転ロッド（２９２、２９３）の間を送られて巻取りロッド（２２０）へと至る。
【００１６】
図６、７に示されるように、本発明の摩擦機構（２３０）は、その作動アーム（２３１）が掛け渡しの方式で巻取りロッド（２２０）の上方に配置され（作動アーム（２３１）の第１枢設端（２３１ａ）と第２枢設端（２３１ｂ）がそれぞれ巻取りロッド（２２０）の軸心（２２１）の両側に設計されることで達成される）、これにより、全体の布巻取り過程で、作動アーム（２３１）の揺動幅が大きくなく、且つ摩擦ロッド（２３２）が全体の重量で続けて布（２０）を制圧する。言い換えると、布巻取り作業を行う時、作動アーム（２３１）が巻き取られた布（２０）の直径の増加によって過大な揺動幅を有することがなく、且つ摩擦ロッド（２３２）が続けて同じ制圧力で布（２０）上を制圧し、これにより布が巻き取られるほど巻きがきつくなる現象が発生しない。
【００１７】
本発明は布巻取り作業を行う過程中に、同じ制圧力で布（２０）を制圧し、このため周知の技術のように余分にウエイト装置を必要とすることがなく、更に本発明はサスペンションアーム式の配置方式を採用しているために一組の摩擦機構（２３０）のみ使用すればよく、これにより布巻取り機（２００）全体の構造が簡易化され、これにより布巻取り機（２００）の製造コストが減らされる。
【００１８】
以上は本発明の好ましい実施例の説明であって、本発明の実施範囲を限定するものではなく、本発明に基づきなしうる細部の修飾或いは改変は、いずれも本発明の請求範囲に属するものとする。
【図面の簡単な説明】
【００１９】
【図１】二組の摩擦機構が組み合わされた周知の高脚高速布巻取り機の動作表示図である。
【図２】二組の摩擦機構が組み合わされた周知の高脚高速布巻取り機の動作表示図である。
【図３】本発明のサスペンションアーム式高脚高速布巻取り機の立体外観図である。
【図４】本発明のサスペンションアーム式高脚高速布巻取り機のサイドボックスの内部構造図である。
【図５】本発明のサスペンションアーム式高脚高速布巻取り機の別角度から観たサイドボックスの内部構造図である。
【図６】本発明のサスペンションアーム式高脚高速布巻取り機の側面動作図である。
【図７】本発明のサスペンションアーム式高脚高速布巻取り機の側面動作図である。
【符号の説明】
【００２０】
（２００）布巻取り機
（２１０）サイドボックス
（２１１）延伸部
（２２０）巻取りロッド
（２３０）摩擦機構
（２３１）作動アーム
（２３２）摩擦ロッド
（２３１ａ）第１枢設端
（２３１ｂ）第２枢設端
（２２１）軸心
（２０）布
（２４０）変速機構
（２４１）軸棒
（２５０）第１伝動装置
（２５１、２５２）伝動輪
（２５３）ベルト
（２９０）布送り機構
（２９１）主回転ロッド
（２９２、２９３）副回転ロッド
（２６０）第２伝動装置
（２７０）第３伝動装置
（２８０）第４伝動装置
（２６１、２６２、２６３、２６４）伝動輪
（２６５）ベルト
（２７１、２７２）伝動輪
（２７３）ベルト
（２９４）伝動輪
（２９５、２９６）伝動輪
（２８１、２８２）伝動輪
（２８３）ベルト
【図１】
2007008599.tif 000003
【図２】
2007008599.tif 000004
【図３】
2007008599.tif 000005
【図４】
2007008599.tif 000006
【図５】
2007008599.tif 000007
【図６】
2007008599.tif 000008
【図７】
2007008599.tif 000009